(57)【要約】【課題】浴室内の濡れ面の乾燥をより促進できる浴室乾燥機１を提供する。【解決手段】浴室２１内の空気を吸い込む循環吸込口１０から浴室内へ空気を吹出す循環吹出口８に向かって空気を送風する循環送風機２と、循環吹出口８の空気の吹出し方向を決定する風向制御板９ａと、浴室２１内の空気を浴室２１外へ排出する換気送風機２と、浴室２１外の空気を浴室２１内へ取り込む浴室２１の吸気口２４ａの位置情報を出力する吸気口位置出力部と、吸気口２４ａの位置情報を出力する吸気口位置出力部と、吸気口位置出力部から出力された位置情報に基づいて風向制御板９ａの向きを制御する制御装置５と、を備え、制御装置５は、風向制御板９ａを空気の吹出し方向に沿って延長した延長線と、吸気口２４ａが設けられた平面と、の交点Ｘが、吸気口２４ａの上端よりも高い位置になるように風向制御板９ａを制御する。【選択図】  図２
2016223756.tif 000002
【特許請求の範囲】
【請求項１】
浴室内の空気を吸い込む吸込口から前記浴室内へ空気を吹出す吹出口に向かって空気を送風する循環送風機と、
前記吹出口からの空気の吹出し方向を決定する風向制御板と、
前記浴室内の空気を前記浴室外へ排出する換気送風機と、
前記浴室外の空気を前記浴室内へ取り込む前記浴室の吸気口の位置情報を出力する吸気口位置出力部と、
前記吸気口位置出力部から出力された前記位置情報に基づいて前記風向制御板の向きを制御する制御装置と、を備え、
前記制御装置は、
前記風向制御板を空気の吹出し方向に沿って延長した延長線と、前記吸気口が設けられた平面と、の交点が、前記吸気口の上端よりも高い位置になるように前記風向制御板の向きを制御する
浴室乾燥機。
【請求項２】
浴室内の空気を吸い込む吸込口から前記浴室内へ空気を吹出す吹出口に向かって空気を送風する循環送風機と、
前記吹出口からの空気の吹出し方向を決定する風向制御板と、
前記浴室内の空気を前記浴室外へ排出する換気送風機と、
前記浴室外の空気を前記浴室内へ取り込む前記浴室の吸気口の位置情報を出力する吸気口位置出力部と、
前記吸気口位置出力部から出力された前記位置情報に基づいて前記風向制御板の向きを制御する制御装置と、を備え、
前記制御装置は、
前記風向制御板を空気の吹出し方向に沿って延長した延長線と、前記吸気口が設けられた平面と、の交点が、前記吸気口の下端よりも低い位置になるように前記風向制御板の向きを制御する
浴室乾燥機。
【請求項３】
前記制御装置は、前記交点の水平方向の位置が前記吸気口の右端から左端までの範囲に入るように前記風向制御板の向きを制御することを特徴とする請求項１または請求項２に記載の浴室乾燥機。
【請求項４】
前記風向制御板は、上下の吹出し方向を決定する上下風向板を備え、
前記制御装置は、
水平面と前記上下風向板とのなす角が４５度以上、かつ、前記交点が前記吸気口の上端よりも高い位置になるように前記風向制御板の向きを制御することを特徴とする請求項１に記載の浴室乾燥機。
【請求項５】
前記制御装置は、
前記交点が前記浴室の床よりも低い位置、かつ、
前記風向制御板を空気の吹出し方向に沿って延長した延長線が前記浴室内に設けられた浴槽に交わらないように前記風向制御板の向きを制御することを特徴とする請求項２に記載の浴室乾燥機。
【請求項６】
前記風向制御板は、上下の吹出し方向を決定する上下風向板を備え、
前記制御装置は、
水平面と前記上下風向板とのなす角度が４５度以下、かつ、前記交点が前記吸気口の下端よりも低い位置になるように前記風向制御板の向きを制御することを特徴とする請求項２に記載の浴室乾燥機。
【請求項７】
前記制御装置は、
第一処理として、前記吹出口から吹出される空気が前記浴室の天井面に沿うように前記風向制御板の向きを制御し、
前記第一処理の後に、第二処理として、前記交点の位置が、第一処理時の高さよりも低く、かつ、前記吸気口の上端よりも高い位置になるように前記風向制御板の向きを制御することを特徴とする請求項１、請求項３または請求項４に記載の浴室乾燥機。
【請求項８】
前記制御装置は、
第一処理として、前記交点が前記吸気口の下端よりも低い位置になるように風向制御板の向きを制御し、
前記第一処理の後に、第二処理として、前記交点が前記吸気口の上端よりも高い位置になるように前記風向制御板の向きを制御することを特徴とする請求項２、請求項３、請求項５または請求項６に記載の浴室乾燥機。
【請求項９】
前記制御装置は、
前記第一処理の期間よりも前記第二処理の期間を長く設定することを特徴とする請求項７または請求項８に記載の浴室乾燥機。
【請求項１０】
前記吸気口位置出力部は、
前記吸気口の位置を検出する温度センサであることを特徴とする請求項１から請求項９のいずれか１項に記載浴室乾燥機。
【請求項１１】
前記吸気口位置出力部は、
前記吸気口の位置情報を記憶した記憶部であることを特徴とする請求項１から請求項９のいずれか１項に記載の浴室乾燥機。
【発明の詳細な説明】
【技術分野】
【０００１】
本発明は、浴室内を乾燥させる浴室乾燥機に関する。
【背景技術】
【０００２】
浴室乾燥機は、浴室内の空気を吸込んで吹出すことにより循環風を生成し、この循環風によって浴室内の乾燥を促進する。従来の浴室乾燥機は、例えば浴室の隅など、カビ繁殖性が高い濡れ面に向けて循環風を送風する動作モードを備えている。この動作モードは、重点的に乾燥させたい場所に向けて循環風を送風することで、浴室内の乾燥を促進するものである（例えば、特許文献１参照）。
【先行技術文献】
【特許文献】
【０００３】
【特許文献１】特開２００７−２２５２０７号公報（第３頁、図１５）
【発明の概要】
【発明が解決しようとする課題】
【０００４】
浴室使用後、浴室内の空気は湿度が高くなっているため、浴室内の空気を吸込んで生成された循環風の湿度も高くなっている。特許文献１に記載された浴室乾燥機では、重点的に乾燥させたい場所に向かって湿度が高い循環風を送風していたため、あまり乾燥を促進できていないという問題があった。
【０００５】
本発明は、上記の課題を解決するためになされたものであり、浴室内の濡れ面の乾燥をより促進できる浴室乾燥機を得ることを目的とする。
【課題を解決するための手段】
【０００６】
本発明に係る浴室乾燥機は、浴室内の空気を吸い込む吸込口から浴室内へ空気を吹出す吹出口に向かって空気を送風する循環送風機と、吹出口の空気の吹出し方向を決定する風向制御板と、浴室内の空気を浴室外へ排出する換気送風機と、浴室外の空気を浴室内へ取り込む浴室の吸気口の位置情報を出力する吸気口位置出力部と、吸気口位置出力部から出力された位置情報に基づいて風向制御板の向きを制御する制御装置と、を備え、制御装置は、風向制御板を空気の吹出し方向に沿って延長した延長線と、吸気口が設けられた平面と、の交点が、吸気口の上端よりも高い位置になるように前記風向制御板の向きを制御する、というものである。
【発明の効果】
【０００７】
本発明に係る浴室乾燥機によれば、制御装置が風向制御板を空気の吹出し方向に沿って延長した延長線と、吸気口が設けられた平面と、の交点が吸気口の上端よりも高い位置になるように風向制御板の向きを制御することにより、吸気口から流入する比較的湿度の低い換気風を濡れ面へ誘導することができる。よって、濡れ面の乾燥をより促すことできる。
【図面の簡単な説明】
【０００８】
【図１】実施の形態１に係る浴室乾燥機を示し、（ａ）は側断面図、（ｂ）は下面図である。
【図２】実施の形態１に係る浴室乾燥機の構成図である。
【図３】実施の形態１に係る風向制御板の上下風向板を示す斜視図である。
【図４】実施の形態１に係る浴室の概略図を示し、（ａ）は浴室の上面図、（ｂ）は浴室のドアの概略図、（ｃ）は浴室乾燥機１が天井面に設置された状態を示す側面図である。
【図５】実施の形態１に係る浴室乾燥処理の流れを示し、（ａ）は浴室乾燥開始から終了までのフローチャート、（ｂ）は天井乾燥処理の詳細フローチャート、（ｃ）は床面乾燥処理の詳細フローチャート、（ｄ）は側壁乾燥処理の詳細フローチャートである。
【図６】実施の形態１に係る浴室内の換気風と循環風の流れを示し、（ａ）は吸気口の上部に循環風を送風した場合、（ｂ）は吸気口の下部に循環風を送風した場合の側面図である。
【図７】実施の形態１に係る換気風を下に押し付ける場合に効果が高い上下風向板９１ａの角度を示した側面図である。
【図８】実施の形態２に係る風向制御板の上下風向板９を示す斜視図である。
【図９】実施の形態３に係る浴室乾燥機の下面図を示し、（ａ）は延長した風向制御板を取り付けた下面図、（ｂ）は吹出し方向に囲いがある風向制御板を取り付けた下面図である。
【図１０】実施の形態４に係る浴室のドアの設置位置の上面図である。
【図１１】実施の形態５に係る浴室乾燥機の上下風向板と左右風向板の吹出し先を延長した延長線とドアが設けられた側壁との交点を示した概略図である。
【図１２】実施の形態５に係る浴室内のドアが設けられている側壁の概略図である。
【図１３】実施の形態５に係る浴室乾燥機の浴室乾燥処理の流れを示し、（ａ）は天井乾燥処理の詳細フローチャート、（ｂ）は側壁乾燥処理の詳細フローチャートである。
【図１４】実施の形態６に係る浴室乾燥機が天井へ換気風を送風する際に効果が高い上下風向板の角度を示した側面図である。
【図１５】実施の形態７に係る吸気口が上部に設けられているドアの正面図である。
【図１６】実施の形態８に係る浴室乾燥機が天井面を乾燥させる際に効果が高い角度を示した浴室の側面図である。
【図１７】実施の形態９に係る吸気口が縦長に設けられているドアの正面図である。
【図１８】実施の形態９に係る浴室乾燥機の循環風と換気風の流れを示し、（ａ）は吸気口の右側に送風した場合の上面図、（ｂ）は吸気口の左側に送風した場合の上面図である。
【図１９】実施の形態１１に係る浴室乾燥機に温度センサを設置した下面図である。
【図２０】実施の形態１１に係る浴室乾燥機の構成図である。
【図２１】実施の形態１１に係る浴室乾燥処理の温度センサを設けた場合の流れの一例を示し、（ａ）は浴室乾燥処理のフローチャート、（ｂ）は狙い撃ち処理の詳細フローチャートである。
【発明を実施するための形態】
【０００９】
実施の形態１.
以下、本発明の実施の形態１に係る浴室乾燥機１の構成を説明する。
【００１０】
図１は、実施の形態１に係る浴室乾燥機を示し、（ａ）は側断面図、（ｂ）は下面図である。図２は、実施の形態１に係る浴室乾燥機の構成図である。
【００１１】
循環送風機２は、循環吸込口１０から浴室２１内の空気を吸込み、循環吹出口８から浴室２１内へ空気を吹出すことにより、循環風を生成する。
【００１２】
換気送風機３は、循環送風機２によって吸込まれた浴室２１内の空気の一部を換気吸込口１２より吸込み、排気口４から浴室２１外へ排出する。このとき排出した分の空気を、浴室２１に設けられた吸気口２４ａから浴室２１内に取り込む。吸気口２４ａから流入する空気を換気風と呼ぶ。換気風は浴室２１内の空気に比べると相対湿度（以下、単に「湿度」と称する）が低く、乾燥速度を速める要因の一つである。
【００１３】
制御装置５はタイマを備え、浴室乾燥運転が開始されてから経過した時間を測定することができる。また、制御装置５は時間によって浴室乾燥運転のＯＮ／ＯＦＦや乾燥処理の運転切り替えができる。ユーザが運転時間を設定し、自動的に浴室乾燥機１の運転を止めることもできる。
【００１４】
記憶部５１には、浴室乾燥機１の各種の動作モードを実現するための制御プログラムが格納されている。浴室２１外のリモートコントローラ（図示せず）によって一つの動作モードが選択されると、制御装置５が、選択された動作モードに対応する制御プログラムを記憶部５１から読み出し、その制御プログラムに基づいて、循環送風機２、換気送風機３、加熱部７、風向制御板９ａの動作を制御する。
【００１５】
吸気口位置入力部１４は、例えば吸気口２４ａの位置情報を入力するボタンである。例えば、設置工事者が浴室乾燥機１を浴室２１に設置する際に、吸気口２４ａ位置を確認し、ボタン操作によって記憶部５１へ記憶させる。浴室乾燥運転を行う際には、記憶部５１ａが吸気口２４ａの位置情報を制御装置５へ出力する吸気口位置出力部となる。
【００１６】
ハウジング６は、浴室乾燥機１の筐体の一部を構成し、下面に開口部を有する。ハウジング６の内部には、循環送風機２、換気送風機３、加熱部７、サーミスタ１３が格納され、循環風の通り道である循環風路が形成されている。化粧パネル１１は、フラットに形成されていて、天井面Ｔに密着させてハウジング６の開口部を覆うように取り付けられる。
【００１７】
加熱部７は、例えば電気ヒータや、金属パイプの内部に電気やガスによって加熱された熱媒体、例えば温水を流すことにより構成される。さらに、電気を熱に変換する複数の発熱体の間隔をあけて配置したり、発熱体に複数の放熱フィンを設け、発熱体または放熱フィンの周囲を循環風が通ることによって、浴室乾燥機１から吹出す空気が温風となる。
【００１８】
浴室乾燥機１は、「加熱乾燥」モード、「省エネ乾燥」モードを持ち、ユーザがリモートコントローラを操作することによって運転モードが選択される。「加熱乾燥」モード時、加熱部７はＯＮとなり、浴室乾燥機１が吸い込んだ空気を加熱し温風を吹出す。また、「省エネ乾燥」モード時、加熱部７はＯＦＦとなり、浴室乾燥機１は吸い込んだ空気をそのまま送風する。循環吸込口１０には、室内温度を検知するためのサーミスタ１３が設置されており、「加熱乾燥」モード時に室内温度が上昇するのを避けるために吸込み温度が４２℃以上になると加熱部７をＯＦＦにし、３８℃以下になると加熱をＯＮにするように制御装置５によって制御されている。
【００１９】
図３は、実施の形態１に係る風向制御板９ａの上下風向板９１ａを示す斜視図である。風向制御板９ａは、循環吹出口８に設けられており、上下風向板９１ａと駆動モータから構成される。上下風向板９１ａは、駆動モータによって上下風向板９１ａの長手方向を軸として上下風向板９１ａの傾きを変えることにより、循環吹出口８から吹出す循環風の上下の吹出し方向を変えることができる。循環風の吹出し方向は、図３に示す上下風向板９１ａの先端部分を構成する直線部を延長した延長線Ａ1と一致する。また、駆動モータは、例えばステッピングモータから構成される。
【００２０】
風向制御板９ａによって風向を制御することにより、浴室乾燥機１は吹出し方向を一定方向に固定する「風向固定」モードと、連続的に風向を変えるためにスイングする「スイング」モードで動作が可能である。「風向固定」モードでは、例えばユーザが風向制御板９ａの向きを指定し、記憶部５１に記憶させ、任意の場所へ風向を定める。
【００２１】
図４は、実施の形態１に係る浴室２１の概略図を示し、（ａ）は浴室２１の上面図、（ｂ）は浴室２１のドア２３ａの正面図、（ｃ）は浴室乾燥機１が天井面に設置された状態を示す側面図である。ドア２３ａは、浴槽２２が近接していない側壁面に設けられる。図４（ｂ）に示すように、通常ドア２３ａ下部には吸気口２４ａ（「ガラリ」とも言う）が設けられる。換気送風機３がＯＮの時に、浴室２１内の空気を排気口４から浴室２１外に排出する代わりに、浴室２１外の空気を吸気口２４ａから浴室２１内に取り入れる。吸気口２４ａは１つまたは複数設けられる。本実施の形態において、吸気口２４ａの上端とは最も高い位置にある吸気口２３ａの開口部の上部を指し（図４（ｂ）のＢ１）、吸気口２４ａの下端とは最も低い位置にある吸気口２３ａの開口部の下部を指す（図４（ｂ）のＢ２）。図４（ｃ）に示すように、浴室乾燥機１は浴室２１の天井に設置される。浴室の典型的なサイズとして、１６１６サイズ、１６２４サイズなどがある。
【００２２】
図４（ｃ）に示すように、鉛直方向に直交する水平面Ｈと風向制御板９ａを吹出し方向に沿って延長した延長線とのなす角を風向板角度θとする。風向板角度θは、上下風向板９１ａの傾き度合いを表す。また、風向制御板９ａを吹出し方向に沿って延長した延長線の先が、ドアが設けられている壁と交わる点を交点Xとする。この交点Ｘが、吸気口２４ａの上端の高さにあるときの風向板角度をα、吸気口２４ａの下端の高さにあるときの風向板角度をβとする。
【００２３】
次に、本実施の形態に係る浴室乾燥機１の「加熱乾燥」モード時の動作について説明する。
【００２４】
例えば、設置工事者が、浴室乾燥機１を浴室２１に設置する際に、上下風向板９１ａの風向板角度α及びβを記憶部５１へ記憶させる。例えば、設置工事者が上下風向板９１ａを角度αに調整し、記憶させるスイッチを押すことで、そのときの上下風向板９１ａの風向板角度αが記憶部５１に記憶される。浴室乾燥機１は、吸気口２４ａの位置を上下風向板９１ａの風向板角度α及びβによって特定し、浴室乾燥運転時に吸気口２４ａの位置を考慮した運転を行うことができる。また、この時に試運転で実際に送風を行い、吸気口２４ａの位置に向かって循環風が吹出していることを確認してから、上下風向板９１ａの風向板角度α及びβの誤差を修正して記憶させるようにしてもよい。
【００２５】
図５は、実施の形態１に係る浴室乾燥処理の流れを示し、（ａ）は浴室乾燥開始から終了までのフローチャート、（ｂ）は天井乾燥処理Ｓ１の詳細フローチャート、（ｃ）は床面乾燥処理Ｓ２の詳細フローチャート、（ｄ）は側壁乾燥処理Ｓ３の詳細フローチャートである。
【００２６】
浴室乾燥運転は、例えばユーザがリモートコントローラを通して浴室乾燥機１の「加熱乾燥」モードをＯＮにすることにより運転が開始する。浴室乾燥機１の運転が始まると、制御装置５は、浴室乾燥運転の開始直後に循環送風機２、換気送風機３、加熱部７及び風向制御板９ａへ信号を出力する。
【００２７】
まず、第一処理として天井乾燥処理Ｓ１を行う。浴室の天井は手入れがしにくく、また、一度カビ菌糸が発生するとカビ胞子を壁面や床面へ落下させるため、カビを広範囲に増殖させる原因となる。従って、浴室乾燥を行う初期の段階で天井面を乾燥させることが重要である。そのため、天井乾燥処理Ｓ１を行うことにより浴室乾燥運転の初期の段階で天井を乾燥させる。
【００２８】
天井乾燥処理Ｓ１を終えると、第二処理である床面乾燥処理Ｓ２を行う。床面乾燥処理Ｓ２では、床面を重点的に乾燥させる。
【００２９】
床面乾燥処理Ｓ２を終えると、第三処理である側壁乾燥処理Ｓ３を行う。第一処理の天井乾燥処理及び第二処理の床面乾燥処理によって、側壁の上部と下部は通常よりは乾燥が促進されている。そのため、最後に側壁の中央に濡れ残りができる。そこで、第三処理として側壁乾燥処理Ｓ３を行うことによって濡れ残り箇所がなくなり、浴室乾燥機１は浴室乾燥運転を終了する。また、各浴室乾燥処理の時間はユーザによって入力された時間が記憶部５１に入力されており決定している。
【００３０】
次に、天井乾燥処理Ｓ１の詳細について説明する。
【００３１】
図６は、実施の形態１に係る浴室２１内の換気風と循環風の流れを示し、（ａ）は吸気口の上部に循環風を送風した場合、（ｂ）は吸気口の下部に循環風を送風した場合の側面図である。天井乾燥処理Ｓ１は、図５（ｂ）に示すフローチャートに従って乾燥処理がなされる。制御装置５によって風向制御板９ａは風向板角度０°≦θ≦４５°、例えば風向板角度θ＝２０°に固定される（Ｓ１１）。すると、循環風は天井に沿うような気流となるため、天井面の風速が上昇し水滴の蒸発が促進される。さらにこの時、加熱部７が温められ天井面に温風を送風すると、相対湿度が低下し、より乾燥が促される（Ｓ１２）。これにより天井面は浴室乾燥の初期に乾燥し、天井面のカビを抑制することにより浴室２１の広範囲にカビの菌糸が広がることを防ぐ。さらに、このとき図６（ａ）に示すように、吸気口２４ａよりも上部の風圧が高まるため、吸気口２４ａから流入する湿度が低い換気風は床面へ誘導され、床面の風速が上昇するとともに湿度が低くなり、床面の乾燥が天井と同時に促される効果もある。
【００３２】
天井乾燥処理Ｓ１を行う時間は、浴室サイズにより決定されているため、設定された時間が経つと天井乾燥処理を終了し（Ｓ１３）、次の床面乾燥処理Ｓ２の動作へ移る。
【００３３】
次に、床面乾燥処理Ｓ２の詳細について説明する。
【００３４】
床面乾燥処理Ｓ２は、図５（ｃ）に示すフローチャートに従って乾燥処理がなされる。制御装置５によって風向制御板９ａは風向板角度０°≦θ≦αに固定される（Ｓ２１）。このとき、加熱部７による加熱は行われない。この動作によって、図６（ａ）に示すように循環風は吸気口２４ａの上端よりも高い位置へ吹出される。循環風により吸気口２４ａの上は風圧が高まっているため、流入した湿度の低い換気風は床面へ押し付けられるように誘導される。これにより、床面の風速は上昇し、湿度は低下するため、床面の乾燥が促進する。
【００３５】
図７は、実施の形態１に係る換気風を下に押し付ける場合に効果が高い上下風向板９１ａの角度を示した側面図である。風向制御板９ａの風向板角度θは４５°≦θ≦αに制御されることが好ましい。これにより、循環風が換気風を床面に押し付ける力が強くなり、換気風がより床面に押し付けられる。
【００３６】
床面乾燥処理Ｓ２は、天井乾燥処理Ｓ１と同様に設定された時間が経つと次の側壁乾燥処理Ｓ３の動作へ移る（Ｓ２３）。
【００３７】
側壁乾燥処理Ｓ３は、図６（ｄ）に示すフローチャートに従って乾燥処理がなされる。制御装置５によって風向制御板９ａは、風向板角度θが天井乾燥処理Ｓ１のときよりも大きく、床面乾燥処理Ｓ２のときよりも小さくなるように固定される（Ｓ３１）。次に、加熱部７によって循環風は加熱され温風となる（Ｓ３２）。これにより、壁面の乾燥が促進されるとともに、壁面を伝って床面の隅にも循環風が行きわたるため、最後に残った濡れ残りの乾燥が促進される。
【００３８】
側壁乾燥処理Ｓ３も、天井乾燥処理Ｓ１と同様に設定された時間が経つと終了し、浴室乾燥機１の電源は自動的に切れる（Ｓ３３）。
【００３９】
以上を持って、浴室乾燥運転の一連の動作を終了する。
【００４０】
本発明に係る浴室乾燥機１は、以上のように、浴室２１内の空気を吸い込む循環風吸込口１０から浴室２１内へ空気を吹出す循環風吹出口８に向かって空気を送風する循環送風機２と、循環風吹出口８からの空気の吹出し方向を決定する風向制御板９ａと、浴室２１内の空気を浴室２１外へ排出する換気送風機３と、浴室２１外の空気を浴室２１内に取り込む浴室２１の吸気口２４ａの位置情報を出力する吸気口位置出力部と、吸気口位置出力部から出力された位置情報に基づいて風向制御板９ａの向きを制御する制御装置５と、を備え、制御装置５は、風向制御板９ａを空気の吹出し方向に沿って延長した延長線と、吸気口２４ａが設けられた平面と、の交点Ｘが、吸気口２４ａの上端よりも高い位置になるように風向制御板の向きを制御する。これにより、換気風は床面に誘導され、床面の風速上昇と湿度低下により床面の水滴の蒸発を促進することが可能となる。
【００４１】
また、風向制御板９ａは、上下の吹出し方向を決定する上下風向板９１ａを備え、制御装置５は、水平面と上下風向板９１ａとのなす角が４５度以上、かつ、交点Ｘが吸気口２４ａの上端よりも高い位置になるように風向制御板９ａの向きを制御する。これにより、循環風によって換気風が押し付けられる力が強くなり、換気風が床面上の広範囲に広がる。
【００４２】
また、制御装置５は、第一処理として、循環吹出口８から吹出される空気が浴室２１の天井に沿うように風向制御板２４ａを制御し、第一処理の後に、第二処理として、交点Ｘの位置が第一処理時の高さより低く、かつ、吸気口２４ａの上端よりも高い位置になるように風向制御板９ａを制御する。これにより、浴室乾燥処理は天井面が優先され、次に床面を乾燥させることにより効率的に浴室乾燥を行うことができる。
【００４３】
また、制御装置５は、第一処理の期間よりも第二処理の期間を長く設定することにより、浴室２１内全体を均一に乾燥させることができる。
【００４４】
また、吸気口位置出力部は、吸気口２４ａ位置情報を記憶した記憶部５１であることにより、吸気口２４ａの位置を検知することができる。記憶部５１が吸気口位置出力部の機能を備えることにより、浴室乾燥機１に新たな部品を追加しなくてよい。
【００４５】
尚、本実施の形態１では、浴室２１内に設置される浴室乾燥機１の取り付け位置は、天井となっているが、壁でも床でも良い。
【００４６】
また、本実施の形態１では、吸気口の位置入力は設置工事者が吸気口２４ａの位置を確認することにより設定を行った。しかし、浴室サイズとドア２３ａ位置及び吸気口２４ａの形状はパターンによって分けることができる。そこで吸気口２４ａの位置情報は、ドア２３ａ及びドア２３ａに設けられた吸気口２４ａの位置と形状をリモートコントローラに付属されたボタンで入力することにより記憶部５１に記憶させることにより、吸気口２４ａの位置を特定する方法もある。
【００４７】
また、浴室乾燥を開始してから終了するまでの時間はユーザが定めてもよい。その時、例えば天井乾燥処理Ｓ１を２０％、床面乾燥処理Ｓ２を６０％、側壁乾燥処理Ｓ３を２０％の割合で制御装置５が自動的に場所ごとの乾燥処理時間を割り振る。例えば設置工事者が浴室乾燥機１を浴室２１に設置する際に、浴室サイズを入力し記憶部５１に浴室サイズを記憶させることができる。これによって浴室乾燥を開始してから終了するまでの時間を部屋のサイズによって推奨される適切な時間にすることができる。また、天井乾燥処理Ｓ１、床面乾燥処理Ｓ２、側壁乾燥処理Ｓ３それぞれの浴室乾燥運転の時間はユーザによって指定することもできる。
【００４８】
また、側壁乾燥処理Ｓ３の風向制御板調節Ｓ３１のとき、風向制御板９ａの上下風向板９１ａの風向板角度θは固定せず、天井乾燥処理Ｓ１のときよりも大きく、床面乾燥処理Ｓ２のときよりも小さい風向板角度θの間をスイングしてもよい。
【００４９】
実施の形態２.
本発明の実施の形態１では、上下風向板９１ａの先端は直線部で構成されたが、実施の形態２では、上下風向板９ｂの先端が曲線部で構成された場合について説明する。
【００５０】
図８は、実施の形態２に係る風向制御板９ａの上下風向板９ｂを示す斜視図である。循環風の吹出し方向は、図８に示すように上下風向板の曲線部の接線を延長した延長線Ａ２と一致する。
【００５１】
浴室乾燥機１の構成と動作については実施の形態１と同様である。
【００５２】
実施の形態３.
本実施の形態３では実施の形態１よりも高い指向性を備えた風向制御板９ｃまたは９ｄを使用した場合について説明する。
【００５３】
図９は、実施の形態３に係る浴室乾燥機１の下面図を示し、（ａ）は延長した風向制御板９ｃを取り付けた下面図、（ｂ）は吹出し方向に囲いがある風向制御板９ｄを取り付けた下面図である。風向制御板９ａを吹出し方向に延長すると、図９（ａ）に示す風向制御板９ｃのようになる。これにより、循環風の指向性が高まり、換気風を誘導する力が強くなる。
【００５４】
また、図９（ｂ）に示すように吹出し方向に沿って囲いがある風向制御板９ｄを用いることにより循環風の指向性を高めてもよい。
【００５５】
実施の形態４.
本発明の実施の形態１では、浴室２１のドア２３ａの設置位置を図４（ａ）のようにしたが、浴室２１のドア２３ａが別の場所に設けられる場合について説明する。
【００５６】
図１０は、実施の形態４に係る浴室２１のドア２３の設置位置の上面図である。浴室２１のドア２３の位置は、図１０（ａ）、（ｂ）、（ｃ）に示すように、実施の形態１の場合を含め一般的に４パターンが考えられる。
【００５７】
それぞれのドア２３の位置が変化しても、浴室乾燥機１の構成と動作については実施の形態１と同様である。
【００５８】
実施の形態５.
本発明の実施の形態１では、風向制御板９ａは上下風向板９１ａと駆動モータから構成されていたが、本発明の実施の形態５では風向制御板９ａが上下風向板９１ａ、左右風向板９２ａ及び駆動モータから構成される場合について説明する。
【００５９】
風向制御板９ａは、循環吹出口８に設けられており、上下風向板９１ａと左右風向板９２ａ、駆動モータから構成される。上下風向板９１ａは、駆動モータによって上下風向板９１ａの長手方向を軸として上下風向板９１ａの傾きを変えることにより、循環吹出口８から吹出す循環風の上下の吹出方向を変えることができる。左右風向板９２ａは、吹出し方向に沿った鉛直な面が、例えば循環吹出口８の上下風向板９１ａのよりも内側に設けられたものである。左右風向板９２ａは、駆動モータによって例えば鉛直な軸を回転軸として、左右風向板９２ａの傾きを変えることにより、循環吹出口８から吹出す循環風の左右の吹出方向を変える。左右風向板９２ａの風向板角度を風向板角度φとする。
【００６０】
図１１は、実施の形態５に係る浴室乾燥機１の上下風向板９１ａと左右風向板９２ａの吹出し先を延長した延長線とドアが設けられた側壁との交点Ｘを示した概略図である。実施の形態１では、風向制御板９ａを構成する風向板は上下風向板９１ａのみであったため、上下方向にしか吹出し方向を変えることができなかったが、本実施の形態では左右風向板９２ａも設けたため、吹出し方向が左右にも変えることができるようになり、吸気口２４ａが設けられた面のあらゆる位置に交点Ｘを制御することが可能である。
【００６１】
浴室乾燥機１の他の構成は、実施の形態１と同様である。
【００６２】
次に、本実施の形態に係る浴室乾燥機１が浴室２１を乾燥させるために実行する「加熱乾燥」モード時の動作について説明する。浴室乾燥処理は、図５と同様である。
【００６３】
図１２は、実施の形態５に係る浴室内のドア２３ａが設けられている側壁の概略図である。例えば、設置工事者が、浴室乾燥機１を浴室２１に設置する際に、浴室乾燥機１の循環風が吸気口２４ａの方向へ風向制御板９ａの上下風向板９１ａ及び左右風向板９２ａの角度を記憶部５１へ記憶させる。上下風向板９１ａの設定方法は実施の形態１と同様である。左右風向板９２ａも上下風向板９１ａと同様に、吹出し方向に沿って延長した延長線が、吸気口２４ａの右端（図１２のＢ３）と左端（図１２のＢ４）へ向かう風向板角度φを記憶させる。これにより、浴室乾燥機１は吸気口２４ａの位置を風向制御板９ａの風向板角度θとφによって特定し、浴室乾燥運転時に吸気口２４ａの位置を考慮した運転を行うことができる。また、この時に試運転で実際に送風を行い、吸気口２４ａの位置に向かって循環風が吹出していることを確認してから、風向制御板９ａの風向板角度θとφを記憶させるようにしてもよい。
【００６４】
浴室乾燥処理の主な動作については、実施の形態１と同様であるため、相違点について説明する。
【００６５】
床面乾燥処理Ｓ２の風向制御板調節Ｓ２１の工程で、上下風向板９１ａだけではなく、左右風向板９２ａも調節する。このとき、左右風向板９２ａによって交点Ｘは吸気口２４ａの右端（図１２のＢ３）から左端（図１２のＢ４）の間に制御される。これにより、循環風によって換気風が押し付けられる力が強くなり、また、床面の中央に誘導されるため、換気風が床面上の広範囲に広がる。
【００６６】
この時、交点Ｘの位置を風向制御板９ａの上下風向板９１ａと左右風向板９２ａによって、吸気口２４ａの上端よりもやや上（図４（ｂ）のＢ１）、かつ、吸気口２４ａの右端（図１２のＢ３）と左端（図１２のＢ４）の真ん中になるように制御すると最も効果が高い。
【００６７】
側壁乾燥処理Ｓ３の風向制御板調節Ｓ３１の工程で、左右風向板９２ａは左右にスイングされるようにする。これにより、浴室乾燥機１の正面の壁面だけでなく左右の側壁にも循環風を送風することができる。よって循環風が側壁を伝って浴室２１の洗い場の隅全体に送風することができる。
【００６８】
本発明に係る浴室乾燥機１は、以上のように、制御装置５は、交点Ｘの水平方向の位置が吸気口２４ａの右端から左端までの範囲に入るように風向制御板９ａを制御する。これにより、換気風が床面に誘導される際に床面の中央に寄るように誘導できる。
【００６９】
実施の形態６.
本発明の実施の形態１では、加熱を使用する「加熱乾燥」モードについて説明したが、本実施の形態６では、加熱を行わない「省エネ乾燥」モードについて説明する。
【００７０】
浴室乾燥機１の構成は、実施の形態１と同様である。また、浴室乾燥機１の動作については、異なる部分についてのみ説明する。
【００７１】
図１３は、実施の形態６に係る浴室乾燥機１の浴室乾燥処理の流れを示し、（ａ）は天井乾燥処理Ｓ１の詳細フローチャート、（ｂ）は側壁乾燥処理Ｓ２の詳細フローチャートである。
【００７２】
天井乾燥処理Ｓ１は、図１３（ａ）に示すフローチャートで乾燥処理がなされる。制御装置５によって、上下風向板９１ａは風向板角度θがβ≦θ≦９０°となるように固定される。この動作により、循環風は吸気口２４ａの下端よりも下に吹出される（Ｓ１４）。吸気口２４ａから吹き込む換気風は、通常、洗い場に向かって流入しているが、循環風によって吸気口２４ａの下部は風圧が高まっているため、図６（ｂ）のように換気風は吸気口２４ａから流入してすぐに天井面へ誘導される。これにより天井の湿度が低下し、天井の乾燥が促進する。このモードを使用すると加熱を行わないため、省エネルギーで天井を低湿度化し、乾燥を促すことができる。実施の形態１と同様に設定された時間が経過すると天井乾燥処理Ｓ１を終了し、床面乾燥処理Ｓ２を行う。
【００７３】
側壁乾燥処理Ｓ３は、図１３（ｂ）に示すフローチャートで乾燥処理がなされる。制御装置５によって、上下風向板９１ａは風向板角度０°≦θ≦α、例えば４５度に固定される（Ｓ３１）。この時、風向板角度θは固定されずに０°≦θ≦αの間をスイングしてもよい。実施の形態１と同様、設定された時間が経過すると側壁乾燥処理Ｓ３は終了し、浴室乾燥運転の一連の動作を終了する。
【００７４】
図１４は、実施の形態６に係る浴室乾燥機１が天井へ換気風を送風する際に効果が高い上下風向板９１ａの角度を示した側面図である。風向板角度θは、交点Ｘが吸気口２４ａが設けられた平面において床面よりも低い位置であり、かつ、風向制御板９を吹出し方向に延長した延長線が浴槽と交わらないことが好ましい。これにより、循環風が床面を跳ね返って天井へ向かい、換気風を天井へ誘導する力が強くなる。
【００７５】
本発明に係る浴室乾燥機１は、以上のように、浴室２１内の空気を吸い込む循環吸込口１０から浴室２１内へ空気を吹出す循環吹出口８に向かって空気を送風する循環送風機２と、循環吹出口８からの空気の吹出し方向を決定する風向制御板９ａと、浴室２１内の空気を浴室２１外へ排出する換気送風機３と、浴室２１外の空気を浴室２１内へ取り込む浴室２１の吸気口２４ａの位置情報を出力する吸気口位置出力部と、吸気口位置出力部から出力された位置情報に基づいて風向制御板９ａの向きを制御する制御装置５と、を備え、制御装置５は、風向制御板９ａの空気の吹出し方向に沿って延長した延長線と、吸気口２４ａが設けられた平面と、の交点Ｘが、吸気口２４ａの下端よりも低い位置になるように風向制御板９ａの向きを制御する。これにより、換気風は天井面に誘導され、天井面の湿度低下により天井面の水滴の蒸発を促進することが可能となる。
【００７６】
また、制御装置は、交点Ｘが浴室２１の床よりも低い位置、かつ、風向制御板９ａを空気の吹出し方向に沿って延長した延長線が浴室２１内に設けられた浴槽２２と交わらないように風向制御板９ａの向きを制御することにより、換気風を天井面に誘導する力が強くなり、多くの換気風が天井面に広がる。
【００７７】
また、制御装置５は、第一処理として、交点Ｘが吸気口２４ａの下端よりも低い位置になるように風向制御板９ａの向きを制御し、第一処理の後に、第二処理として、交点Ｘが吸気口２４ａの上端よりも高い位置になるように風向制御板８ａの向きを制御する。これにより、全体の浴室乾燥の中で天井面の乾燥を優先し、次に床面の乾燥を促進し浴室乾燥を効率的に行うことができる。
【００７８】
本実施の形態では、濡れ面の湿度低下の方法として換気風を利用する。そのため、換気風の相対湿度は低い方が、高い効果を得ることができる。換気風の湿度が高い場合は、温風による乾燥効率が高い天井面のみ、温風が天井面に沿うように風向制御板９ａを制御することによって天井面の湿度を下げ、乾燥を促進する。従って、例えば特に湿度の高い夏場にはカビ抑制に対して効果が高い「加熱乾燥」モードを使用し、湿度の低い冬場には「省エネ乾燥」モードを使用するとよい。この切り替えによって、加熱による消費電力を抑えた効率的な浴室乾燥を実現する。
【００７９】
実施の形態７.
本発明の実施の形態１では、吸気口２４ａはドア２３ａの下部に設けられていたが、本実施の形態７では、吸気口２４ａがドア２３ａの上部に設けられている場合について説明する。
【００８０】
図１５は、実施の形態７に係る吸気口２４ｂが上部に設けられているドア２３ａの正面図である。吸気口がドアの上部に設けられていても、浴室乾燥機１の構成及び動作は、実施の形態１と同様である。
【００８１】
実施の形態８.
本発明の実施の形態６では、吸気口２４ａはドア２３ａの下部に設けられていたが、本実施の形態８では、吸気口２４ａがドア２３ａの上部に設けられている場合（図１５）について説明する。
【００８２】
浴室乾燥機１の構成と動作については、実施の形態６と同様であるが、天井乾燥処理Ｓ１を行う際に効果が高い角度が異なる。
【００８３】
図１６は、実施の形態８に係る浴室乾燥機１が天井面を乾燥させる際に効果が高い角度を示した浴室２１の側面図である。上下風向板９１ａ角度θは、β≦θ≦４５°に制御される。これにより、循環風が換気風を天井面に押さえつける力が強くなり、換気風が天井面に広がる。
【００８４】
本発明に係る浴室乾燥機１は、以上のように、風向制御板９ａは、上下の吹出し方向を決定する上下風向板９１ａを備え、制御装置５は、水平面と上下風向板９１ａとのなす角が４５度以下、かつ、交点Ｘが吸気口２４ａの下端よりも低い位置になるように風向制御板９ａの向きを制御する。これにより、循環風が換気風を天井面へ押さえつける力が強くなり、換気風が天井面に広がる。
【００８５】
実施の形態９.
本発明の実施の形態１では、吸気口２４ａはドア２３ａの下部に横長に設けられていたが、本実施の形態９では、吸気口２４ｃがドア２３ｂに縦長に設けられている場合について説明する。
【００８６】
図１７は、実施の形態９に係る吸気口２４ｃが縦長に設けられているドア２３ｂの正面図である。浴室乾燥機１の構成は、実施の形態５と同様である。また、浴室乾燥機１の動作は、実施の形態１と同様であるが、風向制御板９ａの風向板角度θ及びφが実施の形態１と異なるため、その部分について説明する。
【００８７】
床面乾燥処理Ｓ２を行う風向制御板調節Ｓ２１において、制御装置５によって上下風向板９１ａは、交点Ｘの高さが吸気口２４ｃの上端（図１７のＢ１）と下端（図１７のＢ２）の中央の高さになるように制御される。これにより、湿度の低い換気風の半分が床面に押し付けられ、床面の湿度が低下し、床面の乾燥が促進する。
【００８８】
図１８は、実施の形態９に係る浴室乾燥機１の循環風と換気風の流れを示し、（ａ）は吸気口２４ｃの右側に送風した場合の上面図、（ｂ）は吸気口２４ｃの左側に送風した場合の上面図である。側壁乾燥処理Ｓ３を行う風向制御板調節Ｓ３１において、図１８（ａ）のように、制御装置５によって風向制御板９ａは、吸気口２４ｃの右端よりも右になるように左右風向板９２ａの風向板角度φが制御される。これにより、吸気口２４ｃの右側の風圧が高くなり、換気風は左側の側壁へ誘導され、左側の側壁の湿度が低くなり乾燥が促される。また、これにより浴室２１全体の循環風及び換気風の循環が良くなる。
【００８９】
また、図１８（ｂ）のように、制御装置５によって風向制御板９ａは、吸気口２４ｃの左端よりも左になるように左右風向板９２ａの風向板角度φが制御される。これにより、吸気口２４ｃの左側の風圧が高くなり、換気風は右側の側壁へ誘導され、右側の側壁の湿度が低くなり乾燥が促される。
【００９０】
実施の形態１０.
本発明の実施の形態６では、吸気口２４ａはドア２３ａの下部に設けられていたが吸気口２４ｃがドア２３ｂに縦長に設けられていてもよい。
【００９１】
浴室乾燥機１の構成及び動作は、実施の形態６と同様である。風向制御板９ａの風向板角度θが実施の形態６と異なるが、これは実施の形態９と同様である。
【００９２】
実施の形態１１.
以上の実施の形態では、吸気口２４ａ位置の特定手段をユーザによる入力としたが、次にセンサ等による自動的な検出による場合の実施の形態を示す。
【００９３】
図１９は、実施の形態１１に係る浴室乾燥機１に温度センサ１５を設置した下面図である。図２０は、実施の形態１１に係る浴室乾燥機の構成図である。温度センサ１５は化粧パネル１１に浴室２１内が検知できるように設置され、浴室２１内壁面の表面温度が検出可能となる。例えば、温度センサ１５は図１９に示す赤外線センサなどによるセンサで、浴室２１内温度を検出する。温度センサ１５は、例えば上下左右に動き、エリアを分割することで分割されたエリアごとの浴室２１内の表面温度を全体的に測定することができる。
【００９４】
温度センサ１５は、通信線を通じて吸気口２４ａの位置情報を制御装置５へ出力する吸気口位置出力部となる。温度センサ１５によって得られた吸気口２４ａの位置情報は、制御装置５によって処理され、風向制御板９ａの吹出し方向を決定する。浴室乾燥機１の他の構成については実施の形態１と同様である。
【００９５】
次に、実施の形態１１の動作について説明する。基本動作は実施の形態１と同様である。
【００９６】
図２１は、実施の形態１１に係る浴室乾燥処理の温度センサを設けた場合の流れの一例を示し、（ａ）は浴室乾燥処理のフローチャート、（ｂ）は狙い撃ち処理Ｓ４の詳細フローチャートである。温度センサ１５が設けられたことにより、床面乾燥処理Ｓ２の終了後は濡れ残っている場所を検知し、図２１（ａ）に示すような狙い撃ち処理Ｓ４を行うことが可能である。
【００９７】
まず、天井乾燥処理Ｓ１がはじまり、開始と共に温度センサ１５を起動する。浴室乾燥を行う際には換気を行っているため、浴室２１外の空気が吸気口２４ａより他の場所と比較して高風速で流入する。濡れている面は風が吹くことによって水滴の蒸発が促進され、表面の温度が下がる。浴室２１内は全体的に濡れた状態であるため、換気風によって高風速となっている吸気口２４ａの部分だけ表面温度の低下が促進され、他の場所と比べて大きな温度差が生じ、検出可能となる。この温度差によって吸気口２４ａの位置を検知する。
【００９８】
この時、浴室２１に窓がある場合においては、窓のガラスが冷え、温度センサ１５が浴室２１内の表面温度を検知した時に吸気口２４ａと誤認する恐れがある。そこで、窓については例えば、設置工事者が浴室乾燥機１を浴室２１に設置する時に窓の位置情報を制御装置５の記憶部５１に記憶させ、窓を吸気口２４ａと誤認しないようにする。
【００９９】
図２１（ｂ）は狙い撃ち処理Ｓ４の詳細フローチャートである。狙い撃ち処理Ｓ４では、まず、濡れ残り箇所に関して、温度センサ１５が濡れ残り部の水表面の温度と乾燥部の温度差を検知する（Ｓ４１）。検知後、制御装置５は風向制御板９ａへ信号を出力し、循環風が濡れ残り箇所に送風される角度に風向を制御する（Ｓ４２）。結果、濡れ残り箇所の風速は上昇し、乾燥が促される。
【０１００】
狙い撃ち処理Ｓ４は、温度センサ１５によって温度差がなくなってから例えば５分間送風し、次の濡れ残り箇所を検知する（Ｓ４３）。濡れ残り箇所が検知された場合は、再び制御装置５は風向制御板９ａへ信号を出力し、循環風が濡れ残り箇所に送風される角度に風向を制御する（Ｓ４２）。濡れ残り箇所が検知されなくなった時、制御装置５から浴室乾燥機１は自動的に電源ＯＦＦにする信号が出力され、浴室乾燥が終了する（Ｓ４４）。
【０１０１】
本発明に係る浴室乾燥機１は、以上のように、吸気口位置出力部は、吸気口２４ａ位置を検出する温度センサ１５である。これにより、吸気口の位置を自動で検知することができ、設置工事者の工事負荷が減少する。また、天井乾燥処理Ｓ１と天井乾燥処理Ｓ２を終えた後に、狙い撃ち処理Ｓ４によって効率的に濡れ残り箇所の水滴の乾燥を促進することができる。
【０１０２】
以上のように、本発明に係る浴室乾燥機では、吸気口からの吸気を積極的に行う構成により浴室２１を効率的、かつ、省エネルギーで乾燥させることが可能である。
【符号の説明】
【０１０３】
１  浴室乾燥機
２  循環送風機
３  換気送風機
４  排気口
５  制御装置
５１ａ、５１ｂ  記憶部
６  ハウジング
７  加熱部
８  循環吹出口
９ａ〜９ｄ  風向制御板
９１ａ  上下風向板
９２ａ  左右風向板
１０  循環吸込口
１１  化粧パネル
１２  換気吸込口
１３  サーミスタ
１４  吸気口位置入力部
１５  温度センサ
２１  浴室
２２  浴槽
２３ａ〜２３ｄ  ドア
２４ａ〜２４ｄ  吸気口
Ｔ  天井
Ｈ  水平面
【図１】
2016223756.tif 000003
【図２】
2016223756.tif 000004
【図３】
2016223756.tif 000005
【図４】
2016223756.tif 000006
【図５】
2016223756.tif 000007
【図６】
2016223756.tif 000008
【図７】
2016223756.tif 000009
【図８】
2016223756.tif 000010
【図９】
2016223756.tif 000011
【図１０】
2016223756.tif 000012
【図１１】
2016223756.tif 000013
【図１２】
2016223756.tif 000014
【図１３】
2016223756.tif 000015
【図１４】
2016223756.tif 000016
【図１５】
2016223756.tif 000017
【図１６】
2016223756.tif 000018
【図１７】
2016223756.tif 000019
【図１８】
2016223756.tif 000020
【図１９】
2016223756.tif 000021
【図２０】
2016223756.tif 000022
【図２１】
2016223756.tif 000023